(57)【要約】【課題】  従来よりも簡易的な方法で照明の取り付け工事を行う。【解決手段】  天井裏に配される複数の配線のうち、天井への設置に際して吊り材による固定を有さない照明灯具である軽量大型照明灯具と電気的に接続するための配線として、コネクタ付き配線を設け、複数の天井材を吊り材で固定して天井を形成し、天井材に設けられた開口を介して、形成された天井の上方にある天井裏空間に配されたコネクタ付き配線と、形成された天井の下方にある居室空間において用意された電源アダプタとを、コネクタにより接続し、軽量大型照明灯具と、電源アダプタと、を電気的に接続し、軽量大型照明灯具または電源アダプタが有する留め具を、天井材の開口に通して軽量大型照明灯具を天井材に設置する。【選択図】  図１０
2020021723.tif 000002
【特許請求の範囲】
【請求項１】
建築物を建設する方法であって、
天井裏に配される複数の配線のうち、天井への設置に際して吊り材による固定を有さない照明灯具である軽量大型照明灯具と電気的に接続するための配線として、コネクタ付き配線を設ける工程と、
複数の天井材を吊り材で固定して天井を形成する工程と、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記軽量大型照明灯具または前記電源アダプタが有する留め具を、前記天井材の開口に通して前記軽量大型照明灯具を前記天井材に設置する工程と、
を有する方法。
【請求項２】
前記開口は、最大径が１５ｃｍ以下である請求項１に記載の方法。
【請求項３】
前記軽量大型照明灯具と、前記電源アダプタと、を電気的に接続する工程において、
設置面を形成するベースプレートと、設置面上に配される取付アダプタとを有する前記軽量大型照明灯具と、前記電源アダプタと、を前記取付アダプタにより接続し、
前記軽量大型照明灯具を前記天井材に設置する工程において、
前記電源アダプタが有する前記留め具を介して、前記電源アダプタに接続された前記軽量大型照明灯具を前記天井材に設置する請求項１または２に記載の方法。
【請求項４】
前記コネクタ付き配線と接続した前記電源アダプタを、当該電源アダプタに電気的に接続される前記軽量大型照明灯具が設置される天井材の天井裏に配置する工程を有し、
前記軽量大型照明灯具を前記天井材に設置する工程において、
前記軽量大型照明灯具が有する前記留め具を介して、前記電源アダプタに接続された前記軽量大型照明灯具を前記天井材に設置する請求項１または２に記載の方法。
【請求項５】
前記軽量大型照明灯具を前記天井材に設置する工程において、
天井との設置面側において周縁に緩衝部を有する前記軽量大型照明灯具を、前記緩衝部と前記天井材の天井面とを接触させて、前記天井材に設置する請求項１乃至４のいずれか一項に記載の方法。
【請求項６】
周縁の一部に前記緩衝部が設けられていない領域であって、前記緩衝部が設けられていない領域を利用して前記天井材からの取り外しが可能な前記軽量大型照明灯具により実現される請求項５に記載の方法。
【請求項７】
建築物を建設する方法であって、
電気工事士の資格を有する者により実行される作業であって、
天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
複数の天井材を吊り材で固定して天井を形成する工程、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程、
前記軽量大型照明灯具と、前記電源アダプタと、を電気的に接続する工程、及び
前記軽量大型照明灯具または前記電源アダプタが有する留め具を、前記天井材の開口に通して前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項８】
建築物の建設において、天井裏に配される複数の配線を設ける工程と、複数の天井材を吊り材で固定して天井を形成する工程と、が行われた後において、天井への設置に際して吊り材による固定を有さない照明灯具である軽量大型照明灯具を前記建築物に設置する方法であって、
前記天井材に設けられた開口を介して、形成された天井の上方にある天井裏空間に配された前記複数の配線のうち前記軽量大型照明灯具と電気的に接続するための配線として設けられたコネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記軽量大型照明灯具または前記電源アダプタが有する留め具を、前記天井材の開口に通して前記照明灯具を前記天井材に設置する工程と、を有する方法。
【請求項９】
天井インサートが埋め込まれたコンクリートが打設された躯体と、
天井インサートと接続する吊り材と、
吊り材により固定される複数の天井材が配されて形成される天井と、
空間を形成する一部分に前記天井を有し前記天井の上方にある空間である天井裏空間に設けられる、天井設置器具に電力を供給するための配線と、
空間を形成する一部分に前記天井を有し前記天井の下方にある空間である居室空間に向けて光を発するための発光面を有し、前記天井に設置される軽量大型照明灯具と、
を有し、
天井設置器具に電力を供給するための配線であって、前記軽量大型照明灯具に電力を供給するための配線は、前記軽量大型照明灯具との接続のためのコネクタを有することを特徴とする建築物。
【発明の詳細な説明】
【技術分野】
【０００１】
本発明は、照明灯具が設置された建築物、建築物に設置される照明灯具に関する。
【背景技術】
【０００２】
オフィスビル、工場、商業施設、あるいはこれらに限らずほとんど全ての建物において、照明は欠かせない要素となっている。また、多くの国において、建築物を建てるときには一定の基準を満たすことが要求される。例えば日本国においては建築基準法や消防法等があり、遵守すべきルールが定められている。基準を満たさないものは違法建築物とされ、建築物の使用が制限される。
【０００３】
ビルを建設する場合、基礎工事から、躯体工事、仕上げ工事、設備工事、といった流れで作業が進められる。照明などの電気設備や、給排水設備などの設置は、躯体が出来上がった後で行われる。特許文献１には、照明などの天井据付機器を天井側へ取り付けるときの作業を迅速かつ容易に行える天井据付機器用支持装置が開示されている。
【先行技術文献】
【特許文献】
【０００４】
【特許文献１】特開２００６−７０５６１号
【発明の概要】
【発明が解決しようとする課題】
【０００５】
しかしながら、特許文献１に開示される方法では、なお相当の人員や作業工数を要する。そのため、建築物の建設において照明の取り付け工事を従来よりも簡易的に行える仕組みが確立されれば非常に有益である。
【課題を解決するための手段】
【０００６】
本発明の一実施形態に係る建築物は、天井裏に配される複数の配線のうち、天井への設置に際して吊り材による固定を有さない照明灯具である軽量大型照明灯具と電気的に接続するための配線として、コネクタ付き配線を設ける工程と、複数の天井材を吊り材で固定して天井を形成する工程と、前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程と、前記軽量大型照明灯具と、前記電源アダプタと、を電気的に接続する工程と、前記軽量大型照明灯具または前記電源アダプタが有する留め具を、前記天井材の開口に通して前記軽量大型照明灯具を前記天井材に設置する工程と、を有する方法により建設される。
【０００７】
また、本発明の一実施形態に係る建築物は、電気工事士の資格を有する者により実行される作業であって、天井裏に配される複数の配線のうち、天井への設置に際して吊り材による固定を有さない照明灯具である軽量大型照明灯具と電気的に接続するための配線として、コネクタ付き配線を設ける工程と、電気工事士の資格を有さない者によって実行可能な作業であって、複数の天井材を吊り材で固定して天井を形成する工程、前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程、前記軽量大型照明灯具と、前記電源アダプタと、を電気的に接続する工程、及び、前記軽量大型照明灯具または前記電源アダプタが有する留め具を、前記天井材の開口に通して前記軽量大型照明灯具を前記天井材に設置する工程と、を有し、前記コネクタ付き配線のコネクタにより接続する工程は、前記コネクタ付き配線を設ける工程の後に行われる方法により建設される。
【０００８】
また、本発明の一実施形態に係る軽量大型照明灯具は、天井裏に配される複数の配線を設ける工程と、複数の天井材を吊り材で固定して天井を形成する工程と、が行われた後において、前記天井材に設けられた開口を介して、形成された天井の上方にある天井裏空間に配された前記複数の配線のうち前記軽量大型照明灯具と電気的に接続するための配線として設けられたコネクタ付き配線と、形成された天井の下方にある居室空間において用意された電源アダプタとを、前記コネクタ付き配線のコネクタにより接続する工程と、前記軽量大型照明灯具と、前記電源アダプタと、を電気的に接続する工程と、前記軽量大型照明灯具または前記電源アダプタが有する留め具を、前記天井材の開口に通して前記照明灯具を前記天井材に設置する工程と、を有する方法により、建築物の建設において設置される。
【０００９】
また、本発明の一実施形態に係る建築物は、天井インサートが埋め込まれたコンクリートが打設された躯体と、天井インサートと接続する吊り材と、吊り材により固定される複数の天井材が配されて形成される天井と、空間を形成する一部分に前記天井を有し前記天井の上方にある空間である天井裏空間に設けられる、天井設置器具に電力を供給するための配線と、空間を形成する一部分に前記天井を有し前記天井の下方にある空間である居室空間に向けて光を発するための発光面を有し、前記天井に設置される軽量大型照明灯具と、を有し、天井設置器具に電力を供給するための配線であって、前記軽量大型照明灯具に電力を供給するための配線は、前記軽量大型照明灯具との接続のためのコネクタを有する。
【発明の効果】
【００１０】
本発明によれば、従来よりも簡易的に照明の取り付け工事を行い、建築物を建設することができる。
【図面の簡単な説明】
【００１１】
【図１】図１は、建築物が建設されるまでの工程における照明設置の流れを説明するためのフロー図である。。
【図２】図２は、実施形態に係る建築物の居室の構造の一例を記した模式図である。
【図３】図３は、吊り材により固定されない天井設置器具の例を示す図である。
【図４】図４は、吊り材により固定される天井設置器具の例を示す図である。
【図５】図５は、実施形態に係る照明灯具の斜視図である。
【図６】図６は、実施形態に係る照明灯具の発光面について説明するための模式図である。
【図７】図７は、実施形態に係る照明灯具における光源素子の斜視図である。
【図８】図８は、実施形態に係る照明灯具における光源素子の光学特性を示す図である。
【図９】図９は、実施形態に係る建築物の建設における天井裏空間の構造を示す図である。
【図１０】図１０は、第１実施形態に係る照明灯具の設置方法を説明するための図である。
【図１１】図１１は、第１実施形態に係る照明灯具の設置方法を説明するための図である。
【図１２】図１２は、第１実施形態に係る照明灯具が天井に設置されたときの構造を示す図である。
【図１３】図１３は、第１実施形態に係る照明灯具を天井から取り外す方法を説明数るための図である。
【図１４】図１４は、第２実施形態に係る照明灯具の設置方法を説明するための図である。
【図１５】図１５は、第２実施形態に係る照明灯具の設置方法を説明するための図である。
【発明を実施するための形態】
【００１２】
本発明を実施するための形態を、図面を参照しながら以下に説明する。ただし、以下に示す形態は、本発明の技術思想を具体化するためのものであって、本発明を限定するものではない。さらに以下の説明において、同一の名称、符号については同一もしくは同質の部材を示しており、詳細説明を適宜省略する。なお、各図面が示す部材の大きさや位置関係等は、説明を明確にするために誇張していることがある。
【００１３】
図１は、建築物が建設されるまでの工程における照明設置の流れを説明するためのフロー図である。ここでは一般的なオフィスビルのように、複数階の構造を有し、通路と居室を有する建築物を対象とする。オフィスビルのような大規模な建築物の建設では、総合建設業者が建設工事の発注を請負い、種々の業者によって作業される建設工事全体の取りまとめを行う。
【００１４】
まず、設計士やデザイナーが建築物の設計を行う（ステップＳ１）。この工程において、通路や居室のレイアウトなどが決められ、建築物の全体的なデザインが設計図面に記される。また、採用する建築材料や、照明灯具などの電気設備資材についてもある程度決められ、その配置についても図面に記される。
【００１５】
次に、決められた設計に基づいて、建築材料や建設機械が用意され、基礎工事が行われる（ステップＳ２）。この工程では、杭工事や土工事により建築物の荷重に耐え得る安定した地盤を確保する。ここでは主に、土木工事を行う業者の作業員が作業を行う。なお、土木工事業者の作業員に限らず、他の業者の作業員も作業を行っている。
【００１６】
次に、安定した地盤の上に建築物の躯体を形成する躯体工事が行われる（ステップＳ３）。躯体工事としては、基礎部分や地下階を有する場合には地下階など地下の工事から始まり、地上階へと進んでいく。コンクリートの打設、柱の建込み、鉄骨の組み立てなどを行い、建築物全体の骨組みが完成する。また、外壁、屋上、各階の床等にもコンクリートが打設される。
【００１７】
また、躯体工事では、後の内装工事において吊りボルトを下げるために、インサートが埋め込まれる。例えば、吊りボルトを固定するための天井インサートを、上階の床スラブ（鉄筋コンクリートの床板など）の打設時にスラブの一部として固定する。ここでは主に、土木工事を行う業者の作業員や、とび・土工・コンクリート工事を行う業者の作業員などが作業を行う。次に、建築物の外装工事が行われる（ステップＳ４）。外壁のタイル張りや、窓サッシ、窓ガラス、カーテンウォールなどが取り付けられる。また、塗装なども行われる。
【００１８】
次に、内装工事が行われる（ステップＳ５）。内装工事では、天井、壁、床を作り上げる。天井を設置する天井工事では、ステップＳ３の躯体工事で設けられた天井インサートから吊りボルトを下げ、軽量鉄骨材を組み合わせた下地に、天井板や天井下地材などの天井面を構成する部材である天井材が取り付けられる。天井材の支持には、吊りボルトやハンガー等の吊り材及び斜め部材などが用いられ、これにより天井板の脱落といった危険防止措置が取られる。
【００１９】
例えば日本国では、建築基準法や施行令などにより、このような天井脱落を防止するための規定が設けられている。その一つに、既定の条件を満たす天井材を設けるときには吊り材等により固定を行うなどの脱落防止措置を施しておくことが規定されている。照明灯具についても、その大きさや重量などによって、吊り材に固定されずに天井に設置できるものや、吊り材による固定を有するものがある。
【００２０】
なお、吊りボルトを固定するための天井インサートは、コンクリートの打設の際に設置する代わりに、打設後にコンクリートにアンカーを打ち吊りボルトを固定することも可能ではある。しかし、効率面や安全面を考慮すれば事前に設置される方が好ましく、吊り材が設けられることがわかっている場所については、設計の段階で天井インサートの配置が決められ、コンクリートの打設の際に埋め込まれるのが望ましい。
【００２１】
また、内装工事では、天井を張る前、つまり天井材による天井の形成が完了する前に、配管や空調のダクトの吊り込みをしておき、電線などを配管内に通す作業も行われる。そのため、天井裏には、電気配線やダクト、空調機器などを設置するために必要な空間が設けられる。またさらに、照明や空調が設置される場所に合わせて天井材に開口が設けられる。ここで、天井内のダクト設置や吊り材による天井材の固定といった作業は、内装工事を行う業者の作業員などが作業を行う。一方で、電気配線を設ける作業は、感電等の危険があるため、電気工事を行うことのできる専門的な作業員によって行われる。
【００２２】
天井を設置する天井工事の作業者と、天井裏に電気配線を通す配線工事の作業者と、は多くの場合は別人であることが想定される。なお、日本国では、電気工事士の資格を有さない者による配線工事などの電気工事は許可されていない。このように建築物の建設は、種々の専門的な業者から作業員が派遣され、それぞれが専門的な作業を行うことで安全面に配慮している。
【００２３】
本明細書において、建築物の建設のために天井材を準備して天井工事を行う業者の作業員を天井設置作業者と呼ぶ。また、建築物の建設のために電気配線を準備して配線工事を行う業者の作業員を配線工事作業者と呼ぶ。なお、建築物の建設における各工程の工事は、通常複数の作業者によって行われる。従って、天井設置作業者とは一人の作業者に限らず、建築物の建設において天井工事を行う1以上の作業者を指す。配線工事作業者などについても同様である。
【００２４】
次に、内装工事を終え、床や壁や天井が出来上がると、設置工事が行われる（ステップＳ６）。設置工事では、建築物を実際に利用する際に必要になる設備が設置される。例えば、電気、ガス、水道、排水、空調、トイレ、防災、放送などのための設備や、照明、エスカレーター、エレベーターなどの設備が配置される。これらの作業は、電気工事、電気通信工事、水道施設工事、消防施設工事、清掃施設工事などの事業者の作業員が行う。
【００２５】
照明の設置工事においても、照明灯具を電気的に接続する必要があるため電気工事士の資格者による作業を要する。なお、照明が設置される場所は天井に限らないが、天井に設置される照明灯具は、通常であれば電気工事士の資格者によって天井裏に用意された配線に接続され、電気的に接続される。空調の設備工事において天井に空調機器を設置する場合も、電気工事士の資格者によって天井裏に用意された配線に接続される
【００２６】
通常では、オフィスビルのような建築物の居室において、天井に配置される大型の照明灯具や空調機器は吊り材によって固定される。従って、このような大型の照明灯具や空調機器の設置工事を行う作業員は、大型の照明灯具や空調機器を天井インサートから吊り下げられた吊り材に固定して天井に設置する作業も行うことになる。
【００２７】
照明の設置工事に間に合わせるように、照明灯具の製造者は建設に必要な照明灯具を製造し、電気設備資材を管理する電材商社に納品する（ステップＳ７）。また電材商社は、照明灯具に限らず、スイッチ、コンセント、電線、ケーブル、配電盤、アンテナなどの資材や、分電盤、インターホン、火災報知器などの資材の在庫を管理しており、工事に必要な電気設備資材を必要な分だけ供給する（ステップＳ８）。本明細書において、照明灯具を製造し、あるいは照明灯具を納品する業者の従業員を照明灯具供給者と呼ぶ。
【００２８】
なお、設置工事の工程において、照明の設置工事と、空調の設置工事とは別々に行われる。なお、同時に行うことも、あるいは、同一人が両方の設置工事を行うことも可能だが、作業効率を考慮して分担して作業を進める方が一般的である。このようにして建築物は建設される。
【００２９】
なお、本明細書において、設置工事の作業者と言う場合は、照明や空調などの設置工事を行う一人以上の作業者を指すものとし、上述したような同一人が照明及び空調の設置工事を行う場合も含み得るものとする。一方で、照明の設置工事の作業者と言う場合は、照明の設置工事を行う一人以上の作業者を指し、かつ、空調の設置工事は行わない作業者を指すものとする。空調の設置工事の作業者と言う場合は、空調の設置工事を行う一人以上の作業者を指し、かつ、照明の設置工事は行わない作業者を指すものとする。
【００３０】
＜第一実施形態＞
次に、第一実施形態に係る建築物の建設プロセスについて説明する。第一実施形態に係る建築物１は、複数階の構造を有し、通路と居室を有する。なお、一階建ての建築物であってもよい。図２は、建築物１の特定の階における居室の構造の一例を記した模式図である。
【００３１】
建築物１は、床２と、壁３と、天井４と、窓５と、により居室空間を形成する。なお、窓５が無く側面が壁３だけの居室であっても構わない。また、天井には、複数の照明灯具１０と、複数の空調機器９０とが設置されている。なお、空調機器９０は一台でもよい。
【００３２】
ここで、本発明に係る照明灯具１０について説明する前に、天井に設置される各種の器具が、吊り材により固定される場合と固定されない場合の設置構造の違いを、図３及び図４を用いて説明する。図３は、吊り材による固定が不要な天井設置器具の設置例を示し、図４は吊り材による固定が必要な天井設置器具の設置例を示す。
【００３３】
図３に示されるように、例えば、監視カメラ１００や、ダウンライト１０１、非常用照明１０２、あるいは煙感知器センサー１０３など、小型の天井設置器具については、吊りボルト等の吊り材２０や斜め部材３０によって固定されずに設置される。このような小型の天井設置器具は、天井材に掛かる荷重が小さいため吊り材を要さずに設置することが認められる。
【００３４】
一方で、図４に示されるように、天井面に対して設置される天井面設置型のベース照明１０４や、天井材を貫通して設置され居室から見ると埋め込まれているように設置される埋込型のベース照明１０５などは、吊り材２０によって固定されて設置される。このような天井設置器具は、天井材に掛かる荷重が大きいため、吊り材で固定されていないと、例えば地震が起こった場合に脱落する危険性が高くなる。よって、天井材に全ての荷重を掛けるような設置構造とはせずに、天井設置器具そのものを吊り材で支えるようにする。
【００３５】
例えば、オフィスビルのような建築物の場合、通路などの狭い空間における照明にはダウンライト１０１などの小型の天井設置器具が設けられ、居室などの広い空間ではベース照明１０４あるいはベース照明１０５などの大型の照明灯具が設けられることが考えられる。小型の照明灯具が部分的に設けられることはあり得るが、居室全体に設置される照明灯具の設置数で見ると、大多数は大型の照明灯具である。従って、図４に示すようなベース照明を用いる場合には、照明の設置工事において吊り材による固定作業が行われる。
【００３６】
本発明に係る照明灯具１０は、照明灯具の性能としては図４に示すベース照明に相当する性能を有しており、かつ、照明の設置工事においては図３に示すように吊り材による固定を要さない照明灯具を実現したものである。つまり、照明灯具１０は、ベース照明相当として取り扱えるほど大型でありながら、吊り材を要さないほど軽量である、軽量大型照明灯具である。
【００３７】
ここで、本明細書における軽量大型照明灯具とは、全光束が２５００ｌｍ以上であるか、床に最も近い面である発光面の面積が４５０００ｍｍ２以上であるか、光源素子が１００個以上配されているか、の少なくとも一を満たす照明灯具を指すものとする。またあるいは、これに加えて、重量が０．５ｋｇ以上から２．５ｋｇ未満であるという条件により、軽量大型照明灯具の特性をさらに特定してもよい。
【００３８】
次に、軽量大型照明灯具である照明灯具１０について説明する。図５は天井に設置される設置面側から見た照明灯具１０の斜視図である。図６は照明灯具１０の発光面について説明するための模式図である。図７は照明灯具１０に用いられる光源素子１６を示す斜視図である。図５乃至図７に基づき説明される照明灯具１０は、縦４５０ｍｍ、横４５０ｍｍ、天井設置面から発光面までの高さが２０ｍｍの、発光面が正方形の照明灯具である。
【００３９】
なお、発光面は、縦６００ｍｍ、横６００ｍｍの正方形の照明灯具であってもよい。また、発光面が、縦１５０ｍｍ、横６００ｍｍの長方形の照明灯具であってもよく、縦７５ｍｍ、横６００ｍｍの長方形の照明灯具であってもよい。また、その他の多角形や、円形、楕円形の発光面でもよく、形状は制限されない。また、本願においては、四隅が面取り等された図形も含めて正方形あるいは長方形と呼ぶものとする。
【００４０】
照明灯具１０は、ベースプレート１１、カバー１２、緩衝部１３、取付アダプタ１４、基板１５、及び、光源素子１６を有する。ベースプレート１１は、照明灯具１０における補強板あるいは放熱板として機能する。例えば、矩形状に形成された金属板である。例えば、金属板はアルミニウムを材料として形成することができる。
【００４１】
なお、本明細書において「光源」とは、光を発する部材のことを指し、光源はＬＥＤに代表される発光素子であってよく、あるいは、発光素子と波長変換部材とを組み合わせたものであってもよい。「波長変換部材」は、発光素子が発する光の一部または全部を他の波長の光に変換する部材のことを指しており、例えば蛍光体部材を挙げることができる。
【００４２】
カバー１２は、基板１５に配された光源素子１６を覆うように設けられる。また、光源素子１６が発する光に対する透光性を有する。カバー１２は、例えば樹脂材に酸化チタン等を分散させた光拡散性を有する乳白色に形成されている。樹脂材としては、例えばアクリル樹脂を採用することができ、例えばポリメタクリル酸メチル樹脂を採用することができる。
【００４３】
緩衝部１３は、ベースプレート１１の天井設置面の外周に設けられる。緩衝部１３によって、ベースプレート１１の天井設置面が天井４（あるいは天井材４０）と直接接触することを防ぎ衝撃を緩衝する。また、緩衝部１３は、ベースプレート１１の外周の一部において設けられておらず、緩衝部１３の厚みによって取外しアーム挿入口Ｇを有する。
【００４４】
取付アダプタ１４は、後述する電源アダプタ６０に嵌め込まれる。この電源アダプタ６０は、天井材４０に取り付けられ、取付アダプタ１４は、電源アダプタ６０を介して天井４に取り付けられる。また、取付アダプタ１４は、電源アダプタ６０のＤＣハーネス６４と接続し、ＤＣ電源からの電力の供給を受ける。
【００４５】
基板１５は、例えば樹脂またはセラミックの絶縁性の基板であり、複数の光源素子１６を配置する光源配置面を有する。また、基板１５の光源配置面には光源素子１６に電力を供給するための導電パターンが設けられている。導電パターンの材質は、基板１５の主材料に応じて適宜選択できる。例えば、セラミックス材から成る基板の場合、導電パターンには、セラミックスシートの焼成温度にも耐え得る高融点を有するものが好ましい。例えば、導電配線の材質が、タングステンおよび／またはモリブデンのような高融点の金属を含んで成るものであってよい。さらに、その上に鍍金やスパッタリング、蒸着などにより、ニッケル、金および／または銀など他の金属材料が被覆材として設けられたものであってもよい。また、樹脂材から成る基板の場合、導電パターンは、加工し易いものが好ましい。例えば、射出成型された樹脂から成る基板の場合、導電パターンは、打ち抜き加工、エッチング加工または屈曲加工などの加工がし易く、かつ、比較的大きい機械的強度を有するものが好ましい。具体的な導電パターンの材質を例示しておくと、銅、アルミニウム、金、銀、タングステン、ロジウム、鉄、ニッケル、およびモリブデン等の金属、ならびに、鉄−ニッケル合金、りん青銅、および鉄入り銅などを挙げることができる。
【００４６】
図６は、カバー１２の内部の構造がわかるように、カバー１２により覆われている一部分を取り除いた場合の図を示している。従って、実際には、照明灯具１０における基板１５や光源素子１６は、カバー１２によって覆われている。基板１５の光源配置面と反対側の面は、ベースプレート１１に接触する。基板１５には、複数のネジ穴Ｓが設けられており、ネジ穴Ｓを介してベースプレート１１にネジ止めされる。
【００４７】
光源素子１６は、基板１５に均等に配列される。４５０ｍｍ四方の光源配置面において、光源素子１６は、１５ｍｍ以上〜２０ｍｍ以下のピッチ間隔で配置される。図７に示されるように、光源素子１６は、発光素子１７と、波長変換部材１８と、封止部材１９とを含む。発光素子１７は、基板１５の光源配置面に実装され、発光素子１７の電極は基板１５に形成された導電パターンと電気的に接続されている。波長変換部材１８は発光素子１７を覆う。
【００４８】
封止部材１９は、電気的絶縁性を有し、光源から出射される光に対して透過可能（例えば、透過率７０％以上）であって、固化前（例えば硬化完了前）は流動性を有する材料を採用することができる。例えば、樹脂原料を含んでよく、シリコーン樹脂、エポキシ樹脂、フェノール樹脂、ポリカーボネート樹脂、アクリル樹脂、ＴＰＸ樹脂、ポリノルボルネン樹脂、又はこれらの変性樹脂やハイブリッド樹脂等を挙げることができる。なかでも、シリコーン樹脂は、耐熱性および／または耐光性に優れているので好ましい（本明細書でいう「シリコーン樹脂」は、その変性樹脂またはシリコーン骨格を少なくとも有する樹脂などを包括的に含む“シリコーン系樹脂”のことを指している）。このような封止原料は、必要に応じて、フィラーおよび／または蛍光体などを付加的に含有していてもよい。
【００４９】
封止部材１９は波長変換部材１８を覆う。封止部材１９において発光素子１７の上面の中心付近を覆う部分が凹んでいる。また、このような窪み部分を囲む周囲部分には複数の突起が設けられている。突起は、窪み部分の周囲におよそ均等に設けられて、隣り合う突起を結ぶ直線によって囲まれた領域内に窪み部分は収まる。このように、全体として扁平形状を有し、さらに、窪み部分と複数の突起を有する封止部材１９によって、光源素子１６はバットウイング形の配光特性を有する。
【００５０】
図８は、バットウイング形の配光特性の一例を示す図である。横軸は光源素子１６から出射される光の出射角を表し、光源素子１６が配置される光源配置面に対して垂直な方向を０°としている。縦軸は光源素子１６から出射される光の強度を表す。バットウイング形の配光特性とは、出射角が０°から−９０°の範囲の領域に、出射角が０°のときの強度よりも大きい第１の強度ピークを有し、出射角が０°から９０°の範囲の領域に、出射角が０°のときの強度よりも大きい第２の強度ピークを有する配光特性である。
【００５１】
なお、好適なバットウイング系の配向特性を得るには、突起のサイズが大きすぎない方がよい。例えば、封止部材１９に関し、突起自体の高さを“ｈ”とし、隆起の高さ（突起を除いた場合の封止部材の高さ）を“Ｈ”とすると、０＜ｈ≦Ｈ／８を満たすのが好ましく、０＜ｈ≦Ｈ／１０を満たすのがより好ましく、０＜ｈ≦Ｈ／１２を満たすのがさらに好ましい。
【００５２】
また、封止部材１９は、少なくとも最大厚さ寸法が最大幅寸法よりも小さい。例えば、最大幅は、最大厚さの２倍以上となっている。なお、最大厚さは、基板１５から封止部材１９の突起の頂上までの高さとなるのが好ましい。このような扁平形状の封止部材によって、より低い高さからバットウイングの発光がもたらされる。また、偶発的な外力により光源素子１６が基板から取れてしまうといった不具合を抑制することができる。
【００５３】
このような、縦４５０ｍｍ、横４５０ｍｍ、天井設置面から発光面までの高さが２０ｍｍの照明灯具１０の一実施例として、縦２４×横２４の計５７６個の光源素子１６を配置したものは、全光束が４５００ｌｍ、色温度５０００Ｋ、重量１．９４ｋｇ、となった。つまり、一実施例における照明灯具１０は、全光束が４０００ｌｍ以上であるか、床に最も近い面である発光面の面積が２０２５００ｍｍ２以上であるか、光源素子が５００個以上配されているか、重量が２．０ｋｇ未満であるか、の一または複数を満たす軽量大型照明灯具の一例である。
【００５４】
また、発光面が、縦１５０ｍｍ、横６００ｍｍである点で異なる照明灯具１０の他の実施例として、縦８×横３２の計２５６個の光源素子１６を配置したものは、全光束が３４５０ｌｍ、色温度２７００Ｋ、重量１．０９ｋｇとなった。つまり、他の実施例における照明灯具１０は、全光束が３０００ｌｍ以上であるか、床に最も近い面である発光面の面積が９００００ｍｍ２以上であるか、光源素子が２００個以上配されているか、重量が１．５ｋｇ未満であるか、の一または複数を満たす軽量大型照明灯具の一例である。
【００５５】
次に、本願に係る建築物１の建設において照明灯具１０が設置されるまでの工程を説明する。なお、図１を利用して既に説明した建築物が建設されるまでの工程と異なる点を詳細に説明し、重複する点については説明を簡易的あるいは省略する。
【００５６】
照明灯具１０は、吊り材２０により固定される必要がないため、ステップＳ１において、設計士やデザイナーは、照明灯具１０の設置位置に合わせて吊り材の配置位置を決定しておく必要はない。また、天井インサートが設けられ、吊り材２０の配置位置が確定した後に、図４のベース照明１０４の配置位置を変更する場合は、新たに吊りボルトを設置する必要がある一方で、照明灯具１０の場合はその必要がない。従って、設計士やデザイナーは、工事がある程度進んだ後でも、照明灯具１０の設置場所を柔軟に変更することができる。
【００５７】
ステップＳ２〜ステップＳ４までの工程については、既にした説明と概ね同様である。次に、ステップＳ５の内装工事では、天井を設ける天井工事が行われる。また、天井を張る前に、天井裏に配される配線が天井よりも高い位置に通される。図９は、天井工事が行われた状態の天井裏の一例を示している。
【００５８】
図９にあるように、天井裏は、コンクリートが打設された躯体８０によって上面と側面が、天井材４０が配された天井４によって下面が形成された空間を有している。また、天井４を形成する各天井材４０は、躯体の天井インサートに繋がれた吊り材２０によって固定され、支えられている。なお、図が煩雑になるため、図９では吊り材２０の表示を一部省略している。天井裏の空間には、配管を通って設けられた配線５０及び配線５１がある。この配線は、設計図面に基づき、天井裏に設置される照明や空調などの電気接続機器の設置台数に応じて設けられる。電気接続機器への電源供給に十分な数の配線が用意された上で、天井４は設けられる。
【００５９】
ここで、天井裏に配線を通す作業は、電気工事士の資格を有する配線工事作業者によって行われる。また、この作業において、照明灯具１０に接続される予定の配線５０については、電気工事士の資格を有する配線工事作業者によってコネクタが設けられる。コネクタは、電気接続機器を電気的に接続するための電気接続機器と配線５０との接続作業において感電を防止するための、感電防止接続器具の一例である。
【００６０】
コネクタ等の感電防止接続器具を有していれば、照明灯具１０に配線５０を接続する作業は、電気工事士の資格を有する者でなくても行うことができる。図９の例では、照明灯具１０に接続する予定の配線５０についてはコネクタが設けられる一方で、空調機器９０に接続される予定の配線５１についてはコネクタ等の感電防止接続器具は設けられていない。従って、出願時点の日本国の法令に遵守すると、空調機器９０に配線５１を接続する作業は、電気工事士の資格を有する者によって行われる必要がある。なお、図が煩雑になるため、図９では配線５０の表示を一部省略している。
【００６１】
また、空調機器９０は、吊り材２０によって固定されるため、空調機器９０を固定するための吊り材２０としての吊り材２１が設けられている。図９の時点では、まだ空調機器９０は取り付けられていないため、吊り材２１は空調機器９０を固定していない。
【００６２】
天井材４０には、空調機器９０や照明灯具１０など、天井設置器具を設置するために開口が設けられている。図９に示される四角の開口は、空調機器９０のための開口である。また、円形の開口は、照明灯具１０のための開口である。図９の例では、６×３の計１８枚の天井材４０のうち、２枚の天井材４０のそれぞれに空調機器９０を設置するための開口が、１２枚の天井材４０のそれぞれに照明灯具１０を設置するための開口が設けられている。
【００６３】
図９に示されるように、照明灯具１０を設置するために設けられる開口は天井材４０に比べて小さい。また、照明灯具１０の発光面と比べても十分に小さい開口である。この点について、図３に示したダウンライト１０１や非常用照明１０２は対照的に、その照明灯具の大きさと同等の開口を有している。なお、本明細書において、発光面の面積に対して開口が１／３以下であることを、十分に小さいと言うものとする。また、発光面の面積に対して開口が１／５以下であることを、非常に小さいと言うものとする。また、発光面の面積に対して開口が１／１０以下であることを、極めて小さいと言うものとする。
【００６４】
照明灯具１０を設置するための開口は、例えば、直径１０ｃｍ〜１５ｃｍの円形で形成される。また、開口の形状は円形でなくてもよく、最大径が１５ｃｍ以下の多角形であってもよい。また、電源アダプタ６０等の大きさや形状に基づいて決定されればよい。なお、後述するが、照明灯具１０の取り付けのために、居室側から配線５０を手に取ることが出来るように、開口は作業員の腕が通せるだけの大きさを確保するのが好ましい。
【００６５】
開口の具体的な一例として、縦４５０ｍｍ、横４５０ｍｍ、天井設置面から発光面までの高さが２０ｍｍの照明灯具１０を設置するために、直径１５ｃｍの円形の開口が設けられる。従って、極めて小さい開口によって照明灯具１０を設置することが出来る。また別の一例として、縦１５０ｍｍ、横６００ｍｍ、天井設置面から発光面までの高さが２０ｍｍの照明灯具１０を設置するために、１２．５ｃｍの円形の開口が設けられる。従って、非常に小さい開口によって照明灯具１０を設置することが出来る。
【００６６】
なお、天井材４０は予め開口が設けられたものである必要はない。開口の無い状態の天井材４０を用意し、内装工事を行う現場で作業員が天井材４０に穴を空けて開口を設ける方が一般的である。開口のない天井材４０に対し、適宜開口を設ける作業を行えばよい。どのような天井設置器具を設置するかによって用意すべき開口の形状も異なり得る。よって、開口は、天井材４０を吊り材２０で固定して天井に取り付けるときに設ければよく、あるいは、天井を形成した後で設けてもよい。
【００６７】
このようにして天井４が設けられた上で、ステップＳ６の設備工事において、照明の設置工事が行われる。図１０〜図１２は、照明灯具１０の設置方法を説明するための図である。図１０は、天井材４０、電源アダプタ６０、照明灯具１０の接続関係を天井裏側から俯瞰した態様で示し、図１１は、天井面側（照明設置面側）から俯瞰した態様で示している。また、図１２は、電源アダプタ６０と照明灯具１０とが接続し、さらに天井材４０に設置されたときの構造を示している。
【００６８】
なお、建築物に天井４が設けられた時点で、図２で示した居室を形成する空間である居室空間と、図９で示した天井裏を形成する空間である天井裏空間と、は区別された空間として扱う。ここで、天井材４０の開口の有無については考慮しない。具体的には、建築物１において開口を有さない天井材４０により天井４が形成された場合に、空間を形成する一部分として天井４を有する空間であって天井４の上方にある空間を天井裏空間、空間を形成する一部分として天井４を有する空間であって天井４の下方にある空間を居室空間として区別する。
【００６９】
まず、居室空間に存在する作業員によって居室空間内に照明灯具１０と電源アダプタ６０とが準備される。照明灯具１０は、居室空間に存在する作業員が、照明灯具１０の取付アダプタ１４を電源アダプタ６０に嵌め込むことで、電源アダプタ６０に接続される。また、電源アダプタ６０のＤＣハーネス６４と接続することで、照明灯具１０は電源アダプタ６０からのＤＣ電源の電力供給を受ける。例えば、１００Ｖの直流電圧が供給される。ＤＣハーネス６４との接続についても、電気工事士の資格を有していない作業員が行うことができる。
【００７０】
なお、配線５０を介してＡＣ電源が供給されるため、電源アダプタ６０はＡＣ／ＤＣ変換機能を有している。また、電源アダプタ６０は、コネクタ付き配線５０とコネクタを介して電気的に接続するための接続部としてのＡＣ端子台６１を有する。居室空間に存在する作業員は、開口に腕を通し、開口から天井裏空間に設けられたコネクタ付き配線５０を引っ張って、居室空間内に引き込む。そして、居室空間においてコネクタ付き配線５０のコネクタとＡＣ端子台６１とを接続する。
【００７１】
なお、照明灯具１０が発光の強度や色調を調節する調光機能を有する場合に備えて、電源アダプタ６０は調光の制御を行う調光ドライバ装置と接続するための接続部としての調光端子台６２を有する。調光機能を有さない照明灯具１０を使用する場合には、調光端子台６２は不要である。
【００７２】
また、電源アダプタ６０は、留め具６３を有しており、居室空間に存在する作業員が、この留め具６３によって電源アダプタ６０を天井材４０に設置する。留め具６３はバネ性（弾性）を有しており、これを天井面側（居室空間側）から天井材４０の開口に通して貫通させる。貫通した後は、留め具６３が天井材４０の天井裏面に掛かり、従って荷重が天井材４０に掛かるようになる。天井４に照明灯具１０が取り付けられると、１の照明灯具１０及び１の電源アダプタ６０の荷重は、１の天井材４０に掛かることとなる。なお、留め具６３は、バネ性を有する構造に限らず、天井材４０に荷重が掛かる構造であればよい。
【００７３】
コネクタ付き配線５０と電源アダプタ６０のＡＣ端子台６１とが接続し、取付アダプタ１４が電源アダプタ６０に嵌め込まれて、照明灯具１０及び電源アダプタ６０が天井材４０に取り付けられた状態が図１２に示される。
【００７４】
なお、コネクタ付き配線５０と電源アダプタ６０を接続する作業と、電源アダプタ６０と照明灯具１０とを接続する作業と、はいずれが先であってもよい。また、電源アダプタ６０を天井材４０に取り付ける作業は、照明灯具１０が電源アダプタ６０に接続する前でも、接続した後であってもよい。
【００７５】
一実施例として、直径１５０ｍｍの円形の開口に取り付けられる電源アダプタ６０は、留め具６３を除いて開口を通る貫通領域が直径１４８ｍｍの円形であり、天井面と接する天井面側が直径１６０ｍｍの円形である。また、電源アダプタの重量は０．４５ｋｇであり、縦４５０ｍｍ、横４５０ｍｍ、天井設置面から発光面までの高さが２０ｍｍの照明灯具１０の重量と合わせて、天井材４０に掛かる荷重は２．３９ｋｇとなった。
【００７６】
また、他の一実施例として、直径１２５ｍｍの円形の開口に取り付けられる電源アダプタ６０は、留め具６３を除いて開口を通る貫通領域が直径１２３ｍｍの円形であり、天井面と接する天井面側が直径１３０ｍｍの円形である。また、電源アダプタの重量は０．３７ｋｇであり、縦１５０ｍｍ、横６００ｍｍ、天井設置面から発光面までの高さが２０ｍｍの照明灯具１０の重量と合わせて、天井材４０に掛かる荷重は１．４６ｋｇとなった。
【００７７】
一つの目安として、天井材４０に掛かる荷重が３．０ｋｇ未満の天井設置器具は、吊り材２０による固定を要さずに天井に設置することができる。この点で、上述したいずれの実施例も、電源アダプタ６０と照明灯具１０とが天井材４０に設置され、その合計荷重は３．０ｋｇ未満を満たす。
【００７８】
このように、照明灯具１０の設置工事は、吊り材２０による固定を有さないため、天井裏にあるコネクタ付き配線５０を居室空間に引っ張り出せるだけの開口が設けられていればよい。言い換えると、照明灯具１０を天井４に設置する作業をするには、腕が通せるサイズの開口があればよい。一方で、吊り材２０で固定する作業が必要な照明灯具になると、腕が通る程度の大きさの開口だけを利用して、居室空間側から照明灯具を取り付けることは困難な作業になる。
【００７９】
また、照明灯具１０の設置工事前に、予めコネクタ付き配線５０を天井裏に用意しておくことで、電気工事士の資格を有する者でなくても照明灯具１０と天井裏の配線とを電気的に接続する作業を行うことができる。従って、天井材４０に穴を空けて天井の一部として設置する作業員が、そのまま照明灯具１０の設置作業を行うことも可能となる。
【００８０】
このことはつまり、建築物１の建設において、照明灯具供給者が電材商社に照明灯具１０を供給する代わりに天井設置作業者に供給し、天井設置作業者が照明灯具１０の天井工事を行うことができるということである。
【００８１】
なお、天井４に設置された照明灯具１０を取り外す場合は、図１３に示すように、取外しアーム７０を使用する。照明灯具１０が天井４に取り付けられ、照明灯具１０の緩衝部１３と天井面とが接触している状態であっても、緩衝部１３の設けられていない部分が取外しアーム挿入口Ｇとなり、ここに取外しアーム７０を挿入することができる。取外しアーム挿入口Ｇに挿入した取外しアーム７０を使って、照明灯具１０は取り外すことができる。
【００８２】
＜第二実施形態＞
次に、第二実施形態に係る建築物の建設プロセスについて説明する。第二実施形態に係る建築物１の建設プロセスは、ステップＳ６における照明灯具２１０の設置工程を除いて、第一実施形態に係る建築物１の建設プロセスと同様である。
【００８３】
図１４及び図１５は、照明灯具２１０の設置方法を説明するための図である。図１４は、天井材４０、電源アダプタ２６０、照明灯具２１０の接続関係を天井裏側から俯瞰した態様で示し、図１５は、天井面側（照明設置面側）から俯瞰した態様で示している。また、図１５では、電源アダプタ６０とコネクタ付き配線５０とが接続された状態を示している。
【００８４】
第一実施形態における照明灯具１０の設置工事では、電源アダプタ６０の留め具６３が天井材４０の開口に取り付けられたが、第二実施形態における照明灯具２１０の設置工事では、電源アダプタ２６０は天井裏に配置され、照明灯具２１０の留め具２６３が天井材４０の開口に取り付けられる点で相違する。
【００８５】
照明灯具２１０の設置工事の開始時点では、図１４に示すように、電源アダプタ２６０は天井裏に配置されていない。従って、居室空間に存在する作業員が、開口に腕を通し、開口から天井裏空間に設けられたコネクタ付き配線５０を引っ張り居室空間内に引き込む。そして、居室空間においてコネクタ付き配線５０のコネクタと電源アダプタ２６０のＡＣ端子台２６１とを接続する。
【００８６】
居室空間に存在する作業員は、コネクタ付き配線５０と接続した電源アダプタ２６０を、接続するコネクタ付き配線５０が通った開口を介して天井裏に配置する。コネクタ付き配線５０も天井裏に戻り、開口からは電源アダプタ２６０のＤＣハーネス２６４が居室空間に飛び出す形となる。照明灯具２１０は、ＤＣハーネス２６４と接続し、電源の供給を受ける。また、照明灯具２１０は、取付アダプタ１４に代えて留め具２６３を有し、留め具２６３を開口に通して天井材４０の天井裏に掛けることで、天井４に取り付けられる。
【００８７】
なお、電源アダプタ２６０は、自ら通った開口の付近で、その開口を有する天井材４０の天井裏に配置される。従って、１の照明灯具２１０を１の天井材４０に取り付ける場合、その照明灯具２１０に接続する１の電源アダプタ２６０が、その１の天井材４０に配置される。従って、第一実施形態と変わらず、１の電源アダプタ２６０及び１の照明灯具２１０が、１の天井材４０に掛かる荷重となる。
【００８８】
なお、電源アダプタ２６０は、照明灯具２１０が取り付けられない天井材４０に配置されるようにしてもよい。図１５の例では、開口を有していない天井材４０に配置されるように、電源アダプタ２６０を移動してもよい。こうすることで、１の天井材４０に掛かる荷重を軽減することができる。例えば、図１５で２枚の天井材４０にそれぞれ配置されている計２つの電源アダプタ２６０を、開口を有していない１の天井材に配置してもよい。但し、天井材４０までの距離が腕を伸ばしても届かないくらいに遠いと、電源アダプタ２６０を配置する作業は困難あるいは面倒になることも考えられる。
【００８９】
このように、第二実施形態においては、電源アダプタ２６０を天井裏に配置し、照明灯具２１０を天井材４０の開口に取り付けることで、第一実施形態と比べて、留め具２６３によって天井材４０に掛かる荷重が軽減される。第一実施形態では、留め具６３は、電源アダプタ６０の重量及び照明灯具１０の重量を支えていたが、第二実施形態では、留め具２６３は、照明灯具２１０の重量を支えるのみでよく、電源アダプタ２６０の重量を支えずに済む。
【００９０】
以上、本発明に係る建築物、建築物の建設方法、及び、建設される建築物における照明灯具の設置方法等を、各実施形態に基づき説明してきたが、本発明の技術思想は、説明してきた具体的な実施形態に限定されるわけではない。実施形態において、本発明に係る照明灯具が居室に設置される例を説明したが、設置場所は居室に限らず、例えば、正面玄関やホールといった場所であってもよい。居室空間とは、居室に限定するものではなく、天井を境に天井裏と反対側に存在する空間を示してもよい。
【００９１】
また、各実施形態により開示された全ての構成要素を必要十分に備えることを必須とせずとも、本発明は適用され得る。当業者、あるいは、発明の属する技術分野において、設計の自由度の範囲であれば、特許請求の範囲に、実施形態により開示された構成要素の一部が記載されていないとしても、本発明の適用は可能であり、本明細書はこれを含むものであることを前提として発明を開示する。
【産業上の利用可能性】
【００９２】
各実施形態に記載の建築物あるいは照明灯具は、オフィスビル、高層ビル等の建築の分野で使用することができる。
【符号の説明】
【００９３】
１  建築物
２  床
３  壁
４  天井
５  窓
１０、２１０  照明灯具
１１  ベースプレート
１２  カバー
１３  緩衝部
１４  取付アダプタ
１５  基板
１６  光源素子
１７  発光素子
１８  波長変換部材
１９  封止部材
２０、２１  吊り材
３０  斜め部材
４０  天井材
５０、５１  配線
６０、２６０  電源アダプタ
６１、２６１  ＡＣ端子台
６２、２６２  調光端子台
６３、２６３  留め具
６４、２６４  ＤＣハーネス
７０  取外しアーム
９０  空調機器
８０  躯体
１００  監視カメラ
１０１  ダウンライト
１０２  非常用照明
１０３  煙感知器センサー
１０４、１０５  ベース照明
【図１】
2020021723.tif 000003
【図２】
2020021723.tif 000004
【図３】
2020021723.tif 000005
【図４】
2020021723.tif 000006
【図５】
2020021723.tif 000007
【図６】
2020021723.tif 000008
【図７】
2020021723.tif 000009
【図８】
2020021723.tif 000010
【図９】
2020021723.tif 000011
【図１０】
2020021723.tif 000012
【図１１】
2020021723.tif 000013
【図１２】
2020021723.tif 000014
【図１３】
2020021723.tif 000015
【図１４】
2020021723.tif 000016
【図１５】
2020021723.tif 000017
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
建築物を建設する方法であって、
天井裏に配される複数の配線のうち、天井への設置に際して吊り材による固定を有さない照明灯具である軽量大型照明灯具と電気的に接続するための配線として、コネクタ付き配線を設ける工程と、
複数の天井材を配して天井を形成する工程と、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有する方法。
【請求項２】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記天井材に設けられた開口を介して、形成された天井の上方にある天井裏空間に配された前記コネクタ付き配線と、電源アダプタとを、前記コネクタ付き配線のコネクタにより接続する工程と、
形成された天井の下方にある居室空間において用意された前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有する方法。
【請求項３】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記コネクタ付き配線と、電源アダプタとを、前記コネクタ付き配線のコネクタにより接続し、前記コネクタ付き配線と電気的に接続された前記電源アダプタを天井裏空間に配置する工程と、
前記軽量大型照明灯具と、前記電源アダプタと、を電気的に接続する工程と、
前記コネクタ付き配線と電気的に接続された前記軽量大型照明灯具が有する留め具を前記天井材の開口に通して、前記軽量大型照明灯具を前記天井材に設置する工程と、
を有する方法。
【請求項４】
前記コネクタ付き配線と前記電源アダプタとを前記コネクタ付き配線のコネクタにより接続する工程は、前記軽量大型照明灯具と前記電源アダプタとを電気的に接続する工程によって前記軽量大型照明灯具と前記電源アダプタとが電気的に接続された後に、前記コネクタ付き配線と、前記電源アダプタとを、前記コネクタ付き配線のコネクタにより接続する請求項１乃至３のいずれか一項に記載の方法。
【請求項５】
前記コネクタ付き配線と前記電源アダプタとを前記コネクタ付き配線のコネクタにより接続する工程は、前記軽量大型照明灯具と前記電源アダプタとを電気的に接続する工程によって前記軽量大型照明灯具と前記電源アダプタとが電気的に接続される前に、前記コネクタ付き配線と、前記電源アダプタとを、前記コネクタ付き配線のコネクタにより電気的に接続する請求項１乃至３のいずれか一項に記載の方法。
【請求項６】
前記軽量大型照明灯具を前記天井材に設置する工程は、前記電源アダプタが有する留め具を前記天井材の開口に通して前記電源アダプタを前記天井材に設置した後に、前記軽量大型照明灯具と前記電源アダプタとを電気的に接続する工程によって前記電源アダプタと電気的に接続された前記軽量大型照明灯具を設置する請求項１または２に記載の方法。
【請求項７】
前記軽量大型照明灯具を前記天井材に設置する工程は、前記軽量大型照明灯具と前記電源アダプタとを電気的に接続する工程によって前記軽量大型照明灯具と電気的に接続された前記電源アダプタが有する留め具を前記天井材の開口に通して、前記軽量大型照明灯具を前記天井材に設置する請求項１または２に記載の方法。
【請求項８】
前記軽量大型照明灯具を前記天井材に設置する工程は、前記軽量大型照明灯具と前記電源アダプタとを電気的に接続する工程によって前記軽量大型照明灯具と電気的に接続された前記軽量大型照明灯具が有する留め具を前記天井材の開口に通して、前記軽量大型照明灯具を前記天井材に設置する請求項３に記載の方法。
【請求項９】
前記コネクタ付き配線と前記電源アダプタとを前記コネクタ付き配線のコネクタにより接続する工程は、前記居室空間に存在する作業員によって行われる請求項１乃至８のいずれか一項に記載の方法。
【請求項１０】
前記コネクタ付き配線と前記電源アダプタとを前記コネクタ付き配線のコネクタにより接続する工程において、前記コネクタ付き配線のコネクタを前記居室空間に引き込み、前記居室空間においてコネクタと前記電源アダプタとを接続する請求国１乃至９のいずれか一項に記載の方法。
【請求項１１】
前記軽量大型照明灯具を前記天井材に設置する工程において、当該軽量大型照明灯具の荷重が、当該軽量大型照明灯具が設置された前記天井材に掛かるように設置する請求項１乃至１０のいずれか一項に記載の方法。
【請求項１２】
前記開口は、最大径が１５ｃｍ以下である請求項１乃至１１のいずれか一項に記載の方法。
【請求項１３】
前記軽量大型照明灯具と、前記電源アダプタと、を電気的に接続する工程において、
設置面を形成するベースプレートと、設置面上に配される取付アダプタとを有する前記軽量大型照明灯具と、前記電源アダプタと、を前記取付アダプタにより接続する請求項１または２に記載の方法。
【請求項１４】
前記軽量大型照明灯具を前記天井材に設置する工程において、
天井との設置面側において周縁に緩衝部を有する前記軽量大型照明灯具を、前記緩衝部と前記天井材の天井面とを接触させて、前記天井材に設置する請求項１乃至１３のいずれか一項に記載の方法。
【請求項１５】
周縁の一部に前記緩衝部が設けられていない領域であって、前記緩衝部が設けられていない領域を利用して前記天井材からの取り外しが可能な前記軽量大型照明灯具により実現される請求項１４に記載の方法。
【請求項１６】
建築物を建設する方法であって、
天井裏に配される複数の配線のうち、天井への設置に際して吊り材による固定を有さない照明灯具である軽量大型照明灯具と電気的に接続するための配線として、感電防止接続器具付き配線を設ける工程と、
複数の天井材を配して天井を形成する工程と、
前記天井材に設けられた開口を介して、形成された天井の上方にある天井裏空間に配された前記感電防止接続器具付き配線と、形成された天井の下方にある居室空間において用意された電源アダプタとを、前記感電防止接続器具付き配線の感電防止接続器具により接続する工程と、
前記軽量大型照明灯具と、前記電源アダプタと、を電気的に接続する工程と、
前記感電防止接続器具付き配線と電気的に接続された前記軽量大型照明灯具または前記感電防止接続器具付き配線と電気的に接続された前記電源アダプタが有する留め具を前記天井材の開口に通して、前記軽量大型照明灯具を前記天井材に設置する工程と、
を有する方法。
【請求項１７】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、感電防止接続器具付き配線を設ける工程と、
前記天井材に設けられた開口を介して、形成された天井の上方にある天井裏空間に配された前記感電防止接続器具付き配線と、電源アダプタとを、前記感電防止接続器具付き配線の感電防止接続器具により接続する工程と、
形成された天井の下方にある居室空間において用意された前記軽量大型照明灯具と、前記電源アダプタと、を電気的に接続する工程と、
前記感電防止接続器具付き配線と電気的に接続された前記軽量大型照明灯具または前記感電防止接続器具付き配線と電気的に接続された前記電源アダプタが有する留め具を前記天井材の開口に通して、前記軽量大型照明灯具を前記天井材に設置する工程と、
を有する方法。
【請求項１８】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、感電防止接続器具付き配線を設ける工程と、
前記感電防止接続器具付き配線と、電源アダプタとを、前記感電防止接続器具付き配線の感電防止接続器具により接続し、前記感電防止接続器具付き配線と電気的に接続された前記電源アダプタを天井裏空間に配置する工程と、
前記軽量大型照明灯具と、前記電源アダプタと、を電気的に接続する工程と、
前記感電防止接続器具付き配線と電気的に接続された前記軽量大型照明灯具が有する留め具を前記天井材の開口に通して、前記軽量大型照明灯具を前記天井材に設置する工程と、
を有する方法。
【請求項１９】
建築物を建設する方法であって、
電気工事士の資格を有する者により実行される作業であって、
天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
複数の天井材を配して天井を形成する工程、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程、
前記軽量大型照明灯具と、前記電源アダプタと、を電気的に接続する工程、及び
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２０】
建築物を建設する方法であって、
電気工事士の資格を有する者により実行される作業であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
前記天井材に設けられた開口を介して、形成された天井の上方にある天井裏空間に配された前記コネクタ付き配線と、電源アダプタとを、前記コネクタ付き配線のコネクタにより接続する工程、
形成された天井の下方にある居室空間において用意された前記軽量大型照明灯具と、前記電源アダプタと、を電気的に接続する工程、及び
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２１】
建築物を建設する方法であって、
電気工事士の資格を有する者により実行される作業であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
前記コネクタ付き配線と、電源アダプタとを、前記コネクタ付き配線のコネクタにより接続し、前記コネクタ付き配線と電気的に接続された前記電源アダプタを天井裏空間に配置する工程と、
前記軽量大型照明灯具と、前記電源アダプタと、を電気的に接続する工程、及び
前記コネクタ付き配線と電気的に接続された前記軽量大型照明灯具が有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２２】
建築物の建設において、天井裏に配される複数の配線を設ける工程と、複数の天井材を吊り材で固定して天井を形成する工程と、が行われた後において、天井への設置に際して吊り材による固定を有さない照明灯具である軽量大型照明灯具を前記建築物に設置する方法であって、
前記天井材に設けられた開口を介して、形成された天井の上方にある天井裏空間に配された前記複数の配線のうち前記軽量大型照明灯具と電気的に接続するための配線として設けられたコネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、を有する方法。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
建築物を建設する方法であって、
天井裏に配される複数の配線のうち、天井への設置に際して吊り材による固定を有さない照明灯具である軽量大型照明灯具と電気的に接続するための配線として、コネクタ付き配線を設ける工程と、
複数の天井材を配して天井を形成する工程と、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有する方法。
【請求項２】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記天井材に設けられた開口を介して、形成された天井の上方にある天井裏空間に配された前記コネクタ付き配線と、電源アダプタとを、前記コネクタ付き配線のコネクタにより接続する工程と、
形成された天井の下方にある居室空間において用意された前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有する方法。
【請求項３】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記コネクタ付き配線と、電源アダプタとを、前記コネクタ付き配線のコネクタにより接続し、前記コネクタ付き配線と電気的に接続された前記電源アダプタを天井裏空間に配置する工程と、
形成された天井の下方にある居室空間において用意された前記軽量大型照明灯具と、前記電源アダプタと、を電気的に接続する工程と、
前記コネクタ付き配線と電気的に接続された前記軽量大型照明灯具が有する留め具を前記天井材の開口に通して、前記軽量大型照明灯具を前記天井材に設置する工程と、
を有する方法。
【請求項４】
前記コネクタ付き配線と前記電源アダプタとを前記コネクタ付き配線のコネクタにより接続する工程は、前記軽量大型照明灯具と前記電源アダプタとを電気的に接続する工程によって前記軽量大型照明灯具と前記電源アダプタとが電気的に接続された後に、前記コネクタ付き配線と、前記電源アダプタとを、前記コネクタ付き配線のコネクタにより接続する請求項１乃至３のいずれか一項に記載の方法。
【請求項５】
前記コネクタ付き配線と前記電源アダプタとを前記コネクタ付き配線のコネクタにより接続する工程は、前記軽量大型照明灯具と前記電源アダプタとを電気的に接続する工程によって前記軽量大型照明灯具と前記電源アダプタとが電気的に接続される前に、前記コネクタ付き配線と、前記電源アダプタとを、前記コネクタ付き配線のコネクタにより電気的に接続する請求項１乃至３のいずれか一項に記載の方法。
【請求項６】
前記軽量大型照明灯具を前記天井材に設置する工程は、前記電源アダプタが有する留め具を前記天井材の開口に通して前記電源アダプタを前記天井材に設置した後に、前記軽量大型照明灯具と前記電源アダプタとを電気的に接続する工程によって前記電源アダプタと電気的に接続された前記軽量大型照明灯具を設置する請求項１または２に記載の方法。
【請求項７】
前記軽量大型照明灯具を前記天井材に設置する工程は、前記軽量大型照明灯具と前記電源アダプタとを電気的に接続する工程によって前記軽量大型照明灯具と電気的に接続された前記電源アダプタが有する留め具を前記天井材の開口に通して、前記軽量大型照明灯具を前記天井材に設置する請求項１または２に記載の方法。
【請求項８】
前記軽量大型照明灯具を前記天井材に設置する工程は、前記軽量大型照明灯具と前記電源アダプタとを電気的に接続する工程によって前記軽量大型照明灯具と電気的に接続された前記軽量大型照明灯具が有する留め具を前記天井材の開口に通して、前記軽量大型照明灯具を前記天井材に設置する請求項３に記載の方法。
【請求項９】
前記コネクタ付き配線と前記電源アダプタとを前記コネクタ付き配線のコネクタにより接続する工程は、前記居室空間に存在する作業員によって行われる請求項１乃至８のいずれか一項に記載の方法。
【請求項１０】
前記コネクタ付き配線と前記電源アダプタとを前記コネクタ付き配線のコネクタにより接続する工程において、前記コネクタ付き配線のコネクタを前記居室空間に引き込み、前記居室空間においてコネクタと前記電源アダプタとを接続する請求国１乃至９のいずれか一項に記載の方法。
【請求項１１】
前記軽量大型照明灯具を前記天井材に設置する工程において、当該軽量大型照明灯具の荷重が、当該軽量大型照明灯具が設置された前記天井材に掛かるように設置する請求項１乃至１０のいずれか一項に記載の方法。
【請求項１２】
前記開口は、最大径が１５ｃｍ以下である請求項１乃至１１のいずれか一項に記載の方法。
【請求項１３】
前記軽量大型照明灯具と、前記電源アダプタと、を電気的に接続する工程において、
設置面を形成するベースプレートと、設置面上に配される取付アダプタとを有する前記軽量大型照明灯具と、前記電源アダプタと、を前記取付アダプタにより接続する請求項１または２に記載の方法。
【請求項１４】
前記軽量大型照明灯具を前記天井材に設置する工程において、
天井との設置面側において周縁に緩衝部を有する前記軽量大型照明灯具を、前記緩衝部と前記天井材の天井面とを接触させて、前記天井材に設置する請求項１乃至１３のいずれか一項に記載の方法。
【請求項１５】
周縁の一部に前記緩衝部が設けられていない領域であって、前記緩衝部が設けられていない領域を利用して前記天井材からの取り外しが可能な前記軽量大型照明灯具により実現される請求項１４に記載の方法。
【請求項１６】
建築物を建設する方法であって、
天井裏に配される複数の配線のうち、天井への設置に際して吊り材による固定を有さない照明灯具である軽量大型照明灯具と電気的に接続するための配線として、感電防止接続器具付き配線を設ける工程と、
複数の天井材を配して天井を形成する工程と、
前記天井材に設けられた開口を介して、形成された天井の上方にある天井裏空間に配された前記感電防止接続器具付き配線と、形成された天井の下方にある居室空間において用意された電源アダプタとを、前記感電防止接続器具付き配線の感電防止接続器具により接続する工程と、
前記軽量大型照明灯具と、前記電源アダプタと、を電気的に接続する工程と、
前記感電防止接続器具付き配線と電気的に接続された前記軽量大型照明灯具または前記感電防止接続器具付き配線と電気的に接続された前記電源アダプタが有する留め具を前記天井材の開口に通して、前記軽量大型照明灯具を前記天井材に設置する工程と、
を有する方法。
【請求項１７】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、感電防止接続器具付き配線を設ける工程と、
前記天井材に設けられた開口を介して、形成された天井の上方にある天井裏空間に配された前記感電防止接続器具付き配線と、電源アダプタとを、前記感電防止接続器具付き配線の感電防止接続器具により接続する工程と、
形成された天井の下方にある居室空間において用意された前記軽量大型照明灯具と、前記電源アダプタと、を電気的に接続する工程と、
前記感電防止接続器具付き配線と電気的に接続された前記軽量大型照明灯具または前記感電防止接続器具付き配線と電気的に接続された前記電源アダプタが有する留め具を前記天井材の開口に通して、前記軽量大型照明灯具を前記天井材に設置する工程と、
を有する方法。
【請求項１８】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、感電防止接続器具付き配線を設ける工程と、
前記感電防止接続器具付き配線と、電源アダプタとを、前記感電防止接続器具付き配線の感電防止接続器具により接続し、前記感電防止接続器具付き配線と電気的に接続された前記電源アダプタを天井裏空間に配置する工程と、
前記軽量大型照明灯具と、前記電源アダプタと、を電気的に接続する工程と、
前記感電防止接続器具付き配線と電気的に接続された前記軽量大型照明灯具が有する留め具を前記天井材の開口に通して、前記軽量大型照明灯具を前記天井材に設置する工程と、
を有する方法。
【請求項１９】
建築物を建設する方法であって、
電気工事士の資格を有する者により実行される作業であって、
天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
複数の天井材を配して天井を形成する工程、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程、
前記軽量大型照明灯具と、前記電源アダプタと、を電気的に接続する工程、及び
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２０】
建築物を建設する方法であって、
電気工事士の資格を有する者により実行される作業であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
前記天井材に設けられた開口を介して、形成された天井の上方にある天井裏空間に配された前記コネクタ付き配線と、電源アダプタとを、前記コネクタ付き配線のコネクタにより接続する工程、
形成された天井の下方にある居室空間において用意された前記軽量大型照明灯具と、前記電源アダプタと、を電気的に接続する工程、及び
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２１】
建築物を建設する方法であって、
電気工事士の資格を有する者により実行される作業であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
前記コネクタ付き配線と、電源アダプタとを、前記コネクタ付き配線のコネクタにより接続し、前記コネクタ付き配線と電気的に接続された前記電源アダプタを天井裏空間に配置する工程と、
前記軽量大型照明灯具と、前記電源アダプタと、を電気的に接続する工程、及び
前記コネクタ付き配線と電気的に接続された前記軽量大型照明灯具が有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２２】
建築物の建設において、天井裏に配される複数の配線を設ける工程と、複数の天井材を吊り材で固定して天井を形成する工程と、が行われた後において、天井への設置に際して吊り材による固定を有さない照明灯具である軽量大型照明灯具を前記建築物に設置する方法であって、
前記天井材に設けられた開口を介して、形成された天井の上方にある天井裏空間に配された前記複数の配線のうち前記軽量大型照明灯具と電気的に接続するための配線として設けられたコネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、を有する方法。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
建築物を建設する方法であって、
天井裏に配される複数の配線のうち、天井への設置に際して吊り材による固定を有さない照明灯具である軽量大型照明灯具と電気的に接続するための配線として、コネクタ付き配線を設ける工程と、
複数の天井材を配して天井を形成する工程と、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有する方法。
【請求項２】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記天井材に設けられた開口を介して、形成された天井の上方にある天井裏空間に配された前記コネクタ付き配線と、電源アダプタとを、前記コネクタ付き配線のコネクタにより接続する工程と、
形成された天井の下方にある居室空間において用意された前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有する方法。
【請求項３】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
前記コネクタ付き配線と、電源アダプタとを、前記コネクタ付き配線のコネクタにより接続し、前記コネクタ付き配線と電気的に接続された前記電源アダプタを天井裏空間に配置する工程と、
形成された天井の下方にある居室空間において用意された前記軽量大型照明灯具と、前記電源アダプタと、を電気的に接続する工程と、
前記コネクタ付き配線と電気的に接続された前記軽量大型照明灯具が有する留め具を前記天井材の開口に通して、前記軽量大型照明灯具を前記天井材に設置する工程と、
を有する方法。
【請求項４】
前記コネクタ付き配線と前記電源アダプタとを前記コネクタ付き配線のコネクタにより接続する工程は、前記軽量大型照明灯具と前記電源アダプタとを電気的に接続する工程によって前記軽量大型照明灯具と前記電源アダプタとが電気的に接続された後に、前記コネクタ付き配線と、前記電源アダプタとを、前記コネクタ付き配線のコネクタにより接続する請求項１乃至３のいずれか一項に記載の方法。
【請求項５】
前記コネクタ付き配線と前記電源アダプタとを前記コネクタ付き配線のコネクタにより接続する工程は、前記軽量大型照明灯具と前記電源アダプタとを電気的に接続する工程によって前記軽量大型照明灯具と前記電源アダプタとが電気的に接続される前に、前記コネクタ付き配線と、前記電源アダプタとを、前記コネクタ付き配線のコネクタにより電気的に接続する請求項１乃至３のいずれか一項に記載の方法。
【請求項６】
前記軽量大型照明灯具を前記天井材に設置する工程は、前記電源アダプタが有する留め具を前記天井材の開口に通して前記電源アダプタを前記天井材に設置した後に、前記軽量大型照明灯具と前記電源アダプタとを電気的に接続する工程によって前記電源アダプタと電気的に接続された前記軽量大型照明灯具を設置する請求項１または２に記載の方法。
【請求項７】
前記軽量大型照明灯具を前記天井材に設置する工程は、前記軽量大型照明灯具と前記電源アダプタとを電気的に接続する工程によって前記軽量大型照明灯具と電気的に接続された前記電源アダプタが有する留め具を前記天井材の開口に通して、前記軽量大型照明灯具を前記天井材に設置する請求項１または２に記載の方法。
【請求項８】
前記軽量大型照明灯具を前記天井材に設置する工程は、前記軽量大型照明灯具と前記電源アダプタとを電気的に接続する工程によって前記軽量大型照明灯具と電気的に接続された前記軽量大型照明灯具が有する留め具を前記天井材の開口に通して、前記軽量大型照明灯具を前記天井材に設置する請求項３に記載の方法。
【請求項９】
前記コネクタ付き配線と前記電源アダプタとを前記コネクタ付き配線のコネクタにより接続する工程は、前記居室空間に存在する作業員によって行われる請求項１乃至８のいずれか一項に記載の方法。
【請求項１０】
前記コネクタ付き配線と前記電源アダプタとを前記コネクタ付き配線のコネクタにより接続する工程において、前記コネクタ付き配線のコネクタを前記居室空間に引き込み、前記居室空間においてコネクタと前記電源アダプタとを接続する請求項１乃至９のいずれか一項に記載の方法。
【請求項１１】
前記軽量大型照明灯具を前記天井材に設置する工程において、当該軽量大型照明灯具の荷重が、当該軽量大型照明灯具が設置された前記天井材に掛かるように設置する請求項１乃至１０のいずれか一項に記載の方法。
【請求項１２】
前記開口は、最大径が１５ｃｍ以下である請求項１乃至１１のいずれか一項に記載の方法。
【請求項１３】
前記軽量大型照明灯具と、前記電源アダプタと、を電気的に接続する工程において、
設置面を形成するベースプレートと、設置面上に配される取付アダプタとを有する前記軽量大型照明灯具と、前記電源アダプタと、を前記取付アダプタにより接続する請求項１または２に記載の方法。
【請求項１４】
前記軽量大型照明灯具を前記天井材に設置する工程において、
天井との設置面側において周縁に緩衝部を有する前記軽量大型照明灯具を、前記緩衝部と前記天井材の天井面とを接触させて、前記天井材に設置する請求項１乃至１３のいずれか一項に記載の方法。
【請求項１５】
周縁の一部に前記緩衝部が設けられていない領域であって、前記緩衝部が設けられていない領域を利用して前記天井材からの取り外しが可能な前記軽量大型照明灯具により実現される請求項１４に記載の方法。
【請求項１６】
建築物を建設する方法であって、
天井裏に配される複数の配線のうち、天井への設置に際して吊り材による固定を有さない照明灯具である軽量大型照明灯具と電気的に接続するための配線として、感電防止接続器具付き配線を設ける工程と、
複数の天井材を配して天井を形成する工程と、
前記天井材に設けられた開口を介して、形成された天井の上方にある天井裏空間に配された前記感電防止接続器具付き配線と、形成された天井の下方にある居室空間において用意された電源アダプタとを、前記感電防止接続器具付き配線の感電防止接続器具により接続する工程と、
前記軽量大型照明灯具と、前記電源アダプタと、を電気的に接続する工程と、
前記感電防止接続器具付き配線と電気的に接続された前記軽量大型照明灯具または前記感電防止接続器具付き配線と電気的に接続された前記電源アダプタが有する留め具を前記天井材の開口に通して、前記軽量大型照明灯具を前記天井材に設置する工程と、
を有する方法。
【請求項１７】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、感電防止接続器具付き配線を設ける工程と、
前記天井材に設けられた開口を介して、形成された天井の上方にある天井裏空間に配された前記感電防止接続器具付き配線と、電源アダプタとを、前記感電防止接続器具付き配線の感電防止接続器具により接続する工程と、
形成された天井の下方にある居室空間において用意された前記軽量大型照明灯具と、前記電源アダプタと、を電気的に接続する工程と、
前記感電防止接続器具付き配線と電気的に接続された前記軽量大型照明灯具または前記感電防止接続器具付き配線と電気的に接続された前記電源アダプタが有する留め具を前記天井材の開口に通して、前記軽量大型照明灯具を前記天井材に設置する工程と、
を有する方法。
【請求項１８】
建築物を建設する方法であって、
複数の天井材を配して形成される天井の天井裏に配される複数の配線のうち、天井への設置に際して吊り材による固定を有さない照明灯具である軽量大型照明灯具と電気的に接続するための配線として、感電防止接続器具付き配線を設ける工程と、
前記感電防止接続器具付き配線と、電源アダプタとを、前記感電防止接続器具付き配線の感電防止接続器具により接続し、前記感電防止接続器具付き配線と電気的に接続された前記電源アダプタを天井裏空間に配置する工程と、
前記軽量大型照明灯具と、前記電源アダプタと、を電気的に接続する工程と、
前記感電防止接続器具付き配線と電気的に接続された前記軽量大型照明灯具が有する留め具を前記天井材の開口に通して、前記軽量大型照明灯具を前記天井材に設置する工程と、
を有する方法。
【請求項１９】
建築物を建設する方法であって、
電気工事士の資格を有する者により実行される作業であって、
天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
複数の天井材を配して天井を形成する工程、
前記天井材に設けられた開口を介して、形成された天井の上方にある天井裏空間に配された前記コネクタ付き配線と、形成された天井の下方にある居室空間において用意された電源アダプタとを、前記コネクタ付き配線のコネクタにより接続する工程、
前記軽量大型照明灯具と、前記電源アダプタと、を電気的に接続する工程、及び
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２０】
建築物を建設する方法であって、
電気工事士の資格を有する者により実行される作業であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
前記天井材に設けられた開口を介して、形成された天井の上方にある天井裏空間に配された前記コネクタ付き配線と、電源アダプタとを、前記コネクタ付き配線のコネクタにより接続する工程、
形成された天井の下方にある居室空間において用意された前記軽量大型照明灯具と、前記電源アダプタと、を電気的に接続する工程、及び
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２１】
建築物を建設する方法であって、
電気工事士の資格を有する者により実行される作業であって、
複数の天井材を配して形成される天井の天井裏に配される複数の配線のうち、天井への設置に際して吊り材による固定を有さない照明灯具である軽量大型照明灯具と電気的に接続するための配線として、コネクタ付き配線を設ける工程と、
電気工事士の資格を有さない者によって実行可能な作業であって、
前記コネクタ付き配線と、電源アダプタとを、前記コネクタ付き配線のコネクタにより接続し、前記コネクタ付き配線と電気的に接続された前記電源アダプタを天井裏空間に配置する工程と、
前記軽量大型照明灯具と、前記電源アダプタと、を電気的に接続する工程、及び
前記コネクタ付き配線と電気的に接続された前記軽量大型照明灯具が有する留め具を前記天井材の開口に通して、前記軽量大型照明灯具を前記天井材に設置する工程と、
を有し、
前記コネクタ付き配線のコネクタにより接続する工程は、前記コネクタ付き配線を設ける工程の後に行われることを特徴とする方法。
【請求項２２】
建築物の建設において、天井裏に配される複数の配線を設ける工程と、複数の天井材を吊り材で固定して天井を形成する工程と、が行われた後において、天井への設置に際して吊り材による固定を有さない照明灯具である軽量大型照明灯具を前記建築物に設置する方法であって、
前記天井材に設けられた開口を介して、形成された天井の上方にある天井裏空間に配された前記複数の配線のうち前記軽量大型照明灯具と電気的に接続するための配線として設けられたコネクタ付き配線と、形成された天井の下方にある居室空間において用意された電源アダプタとを、前記コネクタ付き配線のコネクタにより接続する工程と、
前記軽量大型照明灯具と、前記電源アダプタと、を電気的に接続する工程と、
前記コネクタ付き配線と電気的に接続された前記軽量大型照明灯具または前記コネクタ付き配線と電気的に接続された前記電源アダプタが有する留め具を前記天井材の開口に通して、前記軽量大型照明灯具を前記天井材に設置する工程と、を有する方法。